(57)【要約】【課題】  光ディスクの欠陥補償装置及びその方法を提供する。【解決手段】  光ディスクから読出されたＲＦ和信号レベルによってディスクの欠陥区間を検出する過程と、欠陥区間の引入時点から一定時間の間に発生するトラッキングエラー信号の位相を反転する過程と、反転されたトラッキングエラー信号成分を一定時間の間にトラッキングドライブ信号に印加した後、トラッキングサーボ制御をホールディングする過程と、を含む光ディスクの欠陥補償方法。【選択図】  図４
2005222681.tif 000002
【特許請求の範囲】
【請求項１】
光ディスクの欠陥補償方法において、
（ａ）前記光ディスクから読出されたＲＦ和信号レベルによってディスクの欠陥区間を検出する過程と、
（ｂ）前記欠陥区間の引入時点から第１所定時間の間に発生するトラッキングエラー信号の位相を反転する過程と、
（ｃ）前記反転されたトラッキングエラー信号成分を第２所定時間の間にトラッキングドライブ信号に印加した後、トラッキングサーボ制御をホールディングする過程と、を含む光ディスクの欠陥補償方法。
【請求項２】
前記信号位相反転過程は、
前記欠陥区間の引入時点から一定時間の間に発生するトラッキングエラー信号をサンプリングする過程と、
前記サンプリング値に対する最上位ビットをインバートする過程と、
前記インバートされた最上位ビットを含むサンプリング値を積分する過程と、を含むことを特徴とする請求項１に記載の光ディスクの欠陥補償方法。
【請求項３】
前記信号位相反転過程は、欠陥フラグ状態がロジック‘ハイ’になった時点から所定時間の間に高域成分が補償されたトラッキングエラー信号の位相を反転させることを特徴とする請求項１に記載の光ディスクの欠陥補償方法。
【請求項４】
光ディスクの記録及び再生装置において、
ディスクに記録されている情報を光学的にピックアップして電気的なＲＦ信号に変換する光ピックアップ部と、 
前記光ピックアップ部から出力されるＲＦ信号を増幅してフォーカスエラー信号及びトラッキングエラー信号を発生させるＲＦアンプ部と、
前記ＲＦアンプ部から発生するトラッキングエラー信号のゲイン及び位相を補償してトラッキングドライブ信号を出力し、ディスク欠陥区間の引入時点から一定時間の間にトラッキングエラー信号の位相を反転してトラッキングドライブ信号に印加するサーボ信号処理部と、を含む光ディスクの欠陥補償装置。
【請求項５】
前記サーボ信号処理部は、
トラッキングエラー信号の高域成分に対する位相及びゲインを補償する高域成分補償器と、
トラッキングエラー信号の低域成分に対する位相及びゲインを補償する低域成分補償器と、
ディスクの欠陥検出時にその欠陥区間の引入時点から一定時間の間に前記高域成分補償器から出力されるトラッキングエラー信号の位相を反転させる欠陥補償部と、
ディスクの欠陥検出時に生成される欠陥フラグ信号によって、前記高域成分補償器から出力される信号及び欠陥補償器から出力される信号を選択的に出力する選択部と、
前記低域成分補償器で補償された低域トラッキングエラー信号と、前記選択部で選択された高域トラッキングエラー信号とを合算して、トラッキングドライブ信号として生成する加算部と、を含むことを特徴とする請求項４に記載の光ディスクの欠陥補償装置。
【請求項６】
前記光ピックアップ部は、トラッキングアクチュエータによって駆動されるトラッキングサーボと、フォーカシングアクチュエータによって駆動されるフォーカシングサーボとを含むことを特徴とする請求項４に記載の光ディスクの欠陥補償装置。
【請求項７】
前記サーボ信号処理部から出力されるトラッキングドライブ信号を使用して、前記光ピックアップ部のフォーカシングアクチュエータ及びトラッキングアクチュエータを駆動する駆動部をさらに含むことを特徴とする請求項６に記載の光ディスクの欠陥補償装置。
【請求項８】
前記ディスクを回転させるディスクモータを駆動する駆動部をさらに含むことを特徴とする請求項６に記載の光ディスクの欠陥補償装置。
【請求項９】
前記ＲＦアンプ部はそれぞれ、フォーカスエラー信号とトラッキングエラー信号とを発生させるフォーカスエラー検出回路及びトラッキングエラー検出回路を備えることを特徴とする請求項４に記載の光ディスクの欠陥補償装置。
【請求項１０】
前記欠陥補償部は、
前記高域成分補償器から出力されるサンプルに対して最上位ビットをインバートするビットインバート部と、
前記ビットインバート部で反転された最上位ビットを含むサンプルをクロックに同期して順次に保存するレジスターと、
前記欠陥フラグがロジック‘ハイ’になれば、前記レジスターに保存されたサンプル値を合算して積分する積分器と、
前記積分器で積分された信号のゲインを調整するゲイン調整器と、を含むことを特徴とする請求項５に記載の光ディスクの欠陥補償装置。
【請求項１１】
前記トラッキングエラー信号はデジタルであり、アナログトラッキングエラー信号をデジタルトラッキングエラー信号に変換するＡＤＣをさらに備えることを特徴とする請求項５に記載の光ディスクの欠陥補償装置。
【請求項１２】
デジタルトラッキングエラー信号をアンチエイリアシングするアンチエイリアシングフィルタをさらに備えることを特徴とする請求項１１に記載の光ディスクの欠陥補償装置。
【請求項１３】
前記アンチエイリアシングされたトラッキングエラー信号からＤＣ成分を抽出するホールドフィルタと、
前記ＤＣ成分を保存するレジスターと、
欠陥フラグ信号によって前記ディスクから検出されたトラッキングエラー信号または前記レジスターに保存されたＤＣ成分を選択的に出力するスイッチング部と、をさらに備えることを特徴とする請求項１２に記載の光ディスクの欠陥補償装置。
【請求項１４】
前記加算部によって出力されたトラッキング駆動信号をアナログトラッキング駆動信号に変換するＤＡＣをさらに備えることを特徴とする請求項５に記載の光ディスクの欠陥補償装置。
【請求項１５】
再生装置において、
ディスクに記録されている情報を光学的にピックアップして電気的なＲＦ信号に変換する光ピックアップ部と、
前記光ピックアップ部から出力されるＲＦ信号を増幅してフォーカスエラー信号及びトラッキングエラー信号を発生させるＲＦアンプ部と、
前記ＲＦアンプ部から発生するトラッキングエラー信号のゲイン及び位相を補償してトラッキングドライブ信号を出力し、ディスク欠陥区間の引入時点から一定時間の間にトラッキングエラー信号の位相を反転してトラッキングドライブ信号に印加するサーボ信号処理部と、を含む再生装置。
【請求項１６】
サーボ安定性の改善方法において、
欠陥が発生し始めれば、トラッキングエラー信号の不安定性をサンプリングする過程と、
前記サンプリングされたトラッキングエラー信号の反対位相を有するトラッキング駆動信号を出力する過程と、
位相のみ反転される高周波数信号を、補償されたトラッキング駆動信号に付加することによって欠陥領域が終了した後に発生したＤＣオフセットを除去する過程と、を含むサーボ安定性の改善方法。
【請求項１７】
トラッキングエラー信号の不安定性を補償する方法において、
前記トラッキングエラー信号の値をサンプリングする過程と、
位相反転されたトラッキングエラー信号を生成するために前記トラッキングエラー信号の位相を反転する過程と、
ディスクの欠陥領域内のトラッキング中に補償されたトラッキング駆動信号の少なくとも一部分以上に前記位相反転されたトラッキングエラー信号を使用する過程と、を含むトラッキングエラー信号の不安定性の補償方法。
【請求項１８】
サーボ安定性の改善方法において、
前記トラッキングエラーの値をサンプリングする過程と、
位相反転されたトラッキングエラー信号を生成するために前記トラッキングエラー信号の位相を反転する過程と、
ディスクの欠陥領域内のトラッキング中に補償されたトラッキング駆動信号の少なくとも一部分以上に前記位相反転されたトラッキングエラー信号を使用する過程と、を含むサーボ安定性の改善方法。
【請求項１９】
欠陥領域が終了した後に発生したＤＣオフセットを除去する方法において、
位相反転された高周波数信号を生成するために高周波数信号の位相を反転する過程と、
位相反転された高周波数信号を補償されたトラッキング駆動信号に付加する過程と、を含む光ディスクのＤＣオフセットの除去方法。
【発明の詳細な説明】
【技術分野】
【０００１】
本発明は光ディスク記録及び再生装置に係り、特に、ディスクの欠陥発生時にサーボ安定性を向上させる光ディスクの欠陥補償装置及びその方法に関する。
【背景技術】
【０００２】
通常的に、光ディスク記録／再生装置は、ＣＤ（Ｃｏｍｐａｃｔ Ｄｉｓｃ）、ＣＤ−ＲＯＭ（ＣＤ−Ｒｅａｄ Ｏｎｌｙ Ｍｅｍｏｒｙ）、ＤＶＤ（Ｄｉｇｉｔａｌ Ｖｉｄｅｏ Ｄｉｓｃ）、ＣＤ−Ｒ、ＣＤ−ＲＷ、ＤＶＤ±ＲＷ、ＤＶＤ−Ｒのような各種光ディスクから／にデータを再生／記録する。このような光ディスク駆動装置は、ディスクからＲＦ信号を正確にピックアップするために機構的な駆動制御を含む各種サーボ制御を採用している。
【０００３】
このような光ディスクの記録／再生装置は、非接触式光学ヘッドを利用した反射量の大小によって信号を再生する。光ディスクの記録／再生装置は、特に、非接触式光学ヘッドを使用するため、接触式ヘッドを使用するテープのような記録媒体に比べて品質の劣化を防止し、光ディスク面にあるホコリやスクラッチなどに比較的強い再生能力を示す。
一方、光ディスク保存媒体は、カートリッジに収納しない場合、物理的な色々な欠陥が再生面または反対面に発生する恐れがある。このような欠陥は、ディスク面のスクラッチ、ホコリ、ディスクの製造過程で発生するインタラプション（ディスクに記録されたデータ面の一部区間が落ちた形態）がある。
【０００４】
これら欠陥は、再生信号の歪曲や落ちだけでなく、信号再生に必須的なサーボ信号を誤動作させて信号再生を不能にするか、または妨害する。したがって、光ディスクの再生装置は、特定の欠陥が検出される度にサーボ信号をホールディングさせ、欠陥区間が終われば、再びサーボ信号を発生させる。
【０００５】
図１を参照して、従来のディスクの欠陥補償方法を説明すれば、ＡＤＣ（Ａｎａｌｏｇ−ｔｏ−Ｄｉｇｉｔａｌ Ｃｏｎｖｅｒｔｅｒ）１１０は、ディスク上で発生するアナログトラッキングエラー信号をデジタルトラッキングエラー信号に変換する。高域成分補償器１３０は、ＡＤＣ １１０から出力される高域成分のトラッキングエラー信号に対する位相及びゲインを補償する。アンチエイリアシングフィルタ１６０は、ＡＤＣ １１０で発生するトラッキングエラー信号に対するアンチエイリアシングを行う。低域成分補償器１７０は、アンチエイリアシングされたトラッキングエラー信号に対する位相及びゲインを補償する。加算器１４０は、高域成分補償器１３０から出力されるトラッキングエラー信号と低域成分補償器１７０から出力されるトラッキングエラー信号とを合算して、トラッキングドライブ信号に変換する。ＤＡＣ（Ｄｉｇｉｔａｌ−ｔｏ−Ａｎａｌｏｇ Ｃｏｎｖｅｒｔｅｒ）１５０は、加算器１４０から出力されるデジタルトラッキングドライブ信号をアナログトラッキングドライブ信号として出力する。この時、ＲＦ和信号が設定されたレベル以下に落ちる欠陥区間が検出されれば、欠陥フラグがロジック‘Ｈ’に転移され、スイッチ１２０の接点３が接点２にスイッチングされる。したがって、ホールドフィルタ１８０は、アンチエイリアシングフィルタ１６０を通過したトラッキングエラー信号の直流（Ｄｉｒｅｃｔ Ｃｕｒｒｅｎｔ：ＤＣ）成分を抽出する。レジスター１９０は、ホールドフィルタ１８０から抽出されたＤＣ成分を保存する。この時、欠陥が感知されて欠陥フラグがロジック‘Ｈ’になれば、レジスター１９０に保存された直流値を高域成分補償器１３０に入力させて欠陥区間の間にサーボをホールディングさせる。しかし、欠陥が感知されて欠陥フラグがロジック‘Ｈ’になる時点には、既にトラッキングエラー信号に誤差成分が存在して不安定になる。したがって、レジスター１９０に既に保存されたトラッキングエラーの直流値は、ディスク欠陥が反映された値であるので、その値をサーボホールディング用として使用すれば、欠陥区間でだけでなく、欠陥区間が完了した後にもサーボを不安定にする。
【０００６】
図２は、ＲＦ和信号が一定レベル以下に落ちた欠陥区間の波形を示す。図２を参照すれば、欠陥区間が感知されてトラッキングサーボをホールディングさせて、再びオンさせる時点の波形を見れば、トラッキングエラー（ＴＥ：Ｔｒａｃｋｉｎｇ Ｅｒｒｏｒ）信号とトラッキングドライブ（ＴＲＤ：ＴＲａｃｋｉｎｇ Ｄｒｉｖｅ）信号とが激しく揺れることが分かる。すなわち、欠陥区間が感知される時点で既にＴＥ信号に誤差成分が存在するので、この誤差成分の影響でサーボホールディングが終わる欠陥区間の通過時点で出力信号がさらに激しく揺れることが分かる。したがって、従来のサーボホールディングアルゴリズムのみでは欠陥区間の引入時点でサーボが不安定になる要素が除去できないだけでなく、サーボホールディングが終わる時点でサーボがさらに不安定になる要素が解決できない。もし、サーボホールディングが終わる時点でＴＲＯ信号が大きく揺れれば、光焦点は隣接トラックに離脱する場合まで生じる恐れがある。
【発明の開示】
【発明が解決しようとする課題】
【０００７】
本発明が解決しようとする技術的課題は、欠陥区間の引入時点でトラッキングエラーＴＥの振動をサンプリングして、そのトラッキングエラーＴＥ信号と反対位相のＴＲＤ信号とを出力させて、トラッキングエラーＴＥ信号の振動を相殺させる効果を提供する光ディスクの欠陥補償方法を提供することである。
【課題を解決するための手段】
【０００８】
前記の課題を解決するために、本発明は、光ディスクの欠陥補償方法において、（ａ）前記光ディスクから読出されたＲＦ和信号レベルによってディスクの欠陥区間を検出する過程と、（ｂ）前記欠陥区間の引入時点で一定時間の間に発生するトラッキングエラーＴＥ信号の位相を反転する過程と、（ｃ）前記反転されたトラッキングエラーＴＥ信号成分を一定時間の間にＴＲＤ信号に印加した後、トラッキングサーボ制御をホールディングする過程と、を含むことを特徴とする。
【０００９】
前記の他の課題を解決するために、本発明は、光ディスク記録及び再生装置において、ディスクに記録されている情報を光学的にピックアップして電気的なＲＦ信号に変換する光ピックアップ部と、前記光ピックアップ部から出力されるＲＦ信号を増幅してフォーカスエラー（ＦＥ：Ｆｏｃｕｓ Ｅｒｒｏｒ）信号及びトラッキングエラーＴＥ信号を抽出するＲＦアンプ部と、前記ＲＦアンプ部から発生するトラッキングエラーＴＥ信号のゲイン及び位相を補償してＴＲＤ信号を出力し、ディスクの欠陥区間の引入時点から一定時間の間にトラッキングエラーＴＥ信号の位相を反転してＴＲＤ信号に印加するサーボ信号処理部と、前記サーボ信号処理部から出力されるＴＲＤ信号で、前記光ピックアップ部のフォーカシングアクチュエータ及びトラッキングアクチュエータを駆動する駆動部と、を含むことを特徴とする。
【発明の効果】
【００１０】
本発明によれば、欠陥区間の引入時点でインバータを利用してトラッキングエラーＴＥ信号の振動を相殺させることによって欠陥区間でサーボ安定性を向上させうる。また、既存のハードウェアにレジスター及びコントロールロジックのみを簡単に加えて、欠陥フラグが‘ハイ’になった時点から一定時間の間にサーボエラーの振動を相殺させうる。また、ＴＲＤ信号に位相のみ反転された高周波信号を印加するので、欠陥区間の直後に生じる直流オフセットを除去しうる。
【発明を実施するための最良の形態】
【００１１】
以下、添付された図面を参照して本発明の望ましい実施例を説明する。
図３は、本発明による光ディスク記録／再生装置の全体ブロック図である。
光ピックアップ部３３０は、トラッキングサーボ制御のためのトラッキングアクチュエータとフォーカスサーボ制御のためのフォーカシングアクチュエータとによって駆動され、ディスク３１０に記録されている情報を光学的にピックアップして電気的なＲＦ信号に変換する。
【００１２】
ＲＦアンプ部３４０は、光ピックアップ部３３０から出力されるＲＦ信号を増幅する。この時、ＲＦアンプ部３４０は、フォーカスエラー検出回路、トラッキングエラー検出回路を内蔵することによって、増幅されたＲＦ信号からフォーカスエラーＦＥ信号及びトラッキングエラーＴＥ信号を発生させる。
【００１３】
サーボ信号処理部３５０は、フォーカスサーボ制御ループ及びトラッキングサーボ制御ループより構成され、ＲＦアンプ部３４０から発生するフォーカスエラーＦＥ信号及びトラッキングエラーＴＥ信号に対するゲイン及び位相を補償してフォーカスドライブ（ＦＯＤ：ＦＯｃｕｓ Ｄｒｉｖｅ）信号及びＴＲＤ信号を出力する。特に、サーボ信号処理部３５０は、ディスクの欠陥区間の引入時点から特定時間の間に発生するトラッキングエラーＴＥ信号の位相を反転して、その反転されたトラッキングエラーＴＥ信号成分を一定時間の間にＴＲＤ信号に印加する。
【００１４】
駆動部３８０は、サーボ信号処理部３５０から出力されるＦＯＤ信号及びＴＲＤ信号を利用して、それぞれディスクモータ３２０及び光ピックアップ部３３０内のフォーカシングアクチュエータ及びトラッキングアクチュエータを駆動する。
【００１５】
ディスクモータ３２０は、駆動部３８０から出力されるディスク駆動信号によってディスク３１０をＣＬＶ（Ｃｏｎｓｔａｎｔ Ｌｉｎｅａｒ Ｖｅｌｏｃｉｔｙ）方式あるいはＣＡＶ（Ｃｏｎｓｔａｎｔ Ａｎｇｕｌａｒ Ｖｅｌｏｃｉｔｙ）方式で回転させる。
図４は、図３で光ディスクの欠陥補償のためのサーボ信号処理部３５０の詳細図である。
図４を参照すれば、ＡＤＣ ４１０は、ディスク上で発生するアナログトラッキングエラー信号をデジタルトラッキングエラー信号に変換する。
【００１６】
高域成分補償器４３０は、ＡＤＣ ４１０から出力される高域成分に対する位相及びゲインを補償する。アンチエイリアシングフィルタ４２４は、デジタルトラッキングエラー信号に対するアンチエイリアシングを行う。
【００１７】
低域成分補償器４２６は、アンチエイリアシングされた低域成分に対する位相及びゲインを補償する。
【００１８】
スイッチ部４２０は、欠陥フラグ信号によってディスクから検出されるトラッキングエラーＴＥ信号とレジスター４９２で保存された直流値とを選択的に出力する。すなわち、スイッチ部４２０は、正常動作時に接点１を接点３に連結し、欠陥フラグがロジック‘Ｈ’に転移されれば、接点２を接点３に連結する。
【００１９】
欠陥補償部４４０は、ディスクの欠陥検出時にその欠陥区間の引入時点から一定時間の間に発生するトラッキングエラーＴＥ信号の位相を反転する。すなわち、欠陥補償部４４０は、特定時間の間に不安定なトラッキングエラーＴＥ信号のサンプル値のうち最上位ビット（ＭＳＢ：Ｍｏｓｔ Ｓｉｇｎｉｆｉｃａｎｔ Ｂｉｔ）のみをインバートさせることによってトラッキングエラーＴＥ信号の方向が（＋）であるか、あるいは（−）であるかに関係なく、位相のみ反転された信号を生成しうる。欠陥補償部４４０をさらに詳細に説明すれば、高倍速で１〜２ｍｍの長さの欠陥区間の引入時にトラッキングエラーＴＥ信号の不安定な周波数が約３０〜４０ＫＨｚほどであれば、約４〜８個ほどのサンプル値がデジタル値に変換されて高域成分補償器４３０に入力される。ビットインバータ４４２は、各サンプル値にＭＳＢのみをインバートさせる。レジスター部４４４は、高域成分補償器４３０から出力されるサンプル値をサンプリングクロックに同期して順次に保存する。この時、レジスターの数は、サンプル値によって決定される。積分器４４６は、欠陥フラグが‘Ｈ’になれば、レジスター部４４４に保存された複数のサンプル値を積分する。ゲイン調整部４４８は、積分器４４６で積分された信号のゲインを調整する。
【００２０】
選択部４５０は、欠陥フラグ信号によって高域成分補償器４３０から出力される信号及び欠陥補償部４４０から出力される信号を選択的に出力する。例えば、正常的にディスクを再生する時、(1)経路を選択し、ディスクの欠陥フラグがロジック‘ハイ’になった時点で特定時間の間に(2)経路を選択する。
【００２１】
ホールドフィルタ４９０は、アンチエイリアシングフィルタ４２４を通過したトラッキングエラーＴＥ信号からＤＣ成分を抽出する。レジスター４９２は、ホールドフィルタ４９０から抽出されたＤＣ成分を保存する。この時、欠陥が感知されて欠陥フラグが‘Ｈ’になれば、レジスター４９２に保存されたトラッキングエラーＴＥの直流値を高域成分補償器４３０に入力させて、欠陥区間の間のサーボをホールディングさせる。
【００２２】
加算器４６０は、選択部４５０から出力されるトラッキングエラーＴＥ信号と低域成分補償器４２６から出力されるトラッキングエラーＴＥ信号とを加算する。
ＤＡＣ ４７０は、加算器４６０から出力されるデジタルトラッキングエラー信号をアナログＴＲＤ信号に変換する。
【００２３】
図５は、図４の欠陥補償器４４０の信号変換方法を示す詳細図である。
図５を参照すれば、サンプリング値が１２ビットで表現されると仮定すれば、１２ビットのうちＭＳＢ“０”は“１”に、残りのビットは同一にレジスターに保存される。
【００２４】
図６の波形図を参照してトラッキングエラーＴＥ信号の屈曲を補償する方法を説明する。
まず、光ディスクの再生時にＲＦ和信号が設定されたレベル以下に落ちれば、欠陥区間として検出される。次いで、欠陥区間の引入時点でトラッキングエラーＴＥ信号の屈曲６０５を１７６.４ＫＨｚでサンプリングした値が図４の高域成分補償器４３０に入力される。この時、ディスクの欠陥区間が検知されない時、図４の高域成分補償器４３０から出力されるＴＲＤ信号は、そのまま図４の加算器４６０に入力される。しかし、ディスクの欠陥区間が検知されて欠陥フラグＤＥＣＴが‘Ｈ’になった時点で、高域成分補償器４３０から出力される初期トラッキングエラーＴＥ信号は、あらかじめ設定された特定時間の間(６１０)に位相が反転された後にＴＲＤ信号として生成される。したがって、欠陥区間内にＴＲＤ信号は、位相反転された信号６２０とサーボホールド用直流電圧６３０とを有する。すなわち、本発明は、従来のサーボホールディングアルゴリズムを使用するが、欠陥フラグが‘Ｈ’になった時点から一定時間の間に高域成分補償器４３０の出力位相のみ反転させて、サーボエラーの屈曲を相殺させうる。
【００２５】
本発明は、前述した実施例に限定されず、本発明の思想内で当業者による変形が可能である。
【産業上の利用可能性】
【００２６】
本発明は、ディスクの欠陥発生時にサーボ安定性を向上させる光ディスクの欠陥補償装置及びその方法に係り、一般的に光ディスクの記録及び再生機器に適用可能である。
【図面の簡単な説明】
【００２７】
【図１】従来のディスク欠陥補償装置のブロック図である。
【図２】光ディスクの欠陥区間の波形図である。
【図３】本発明による光ディスクの記録／再生装置の全体ブロック図である。
【図４】図３に示さらたサーボ信号処理部の詳細図である。
【図５】図３に示されたタイプの欠陥補償器の信号変換方法を表す詳細図である。
【図６】トラッキングエラーＴＥ信号の振動を補償するタイミング図である。
【符号の説明】
【００２８】
４１０    ＡＤＣ
４２０    スイッチ部
４２４    アンチエイリアシングフィルタ
４２６    低域成分補償器
４３０    高域成分補償器
４４０    欠陥補償部
４４２    ビットインバータ
４４４    レジスター部
４４６    積分器
４４８    ゲイン調整部
４５０    選択部
４６０    加算器
４７０    ＤＡＣ
４９０    ホールドフィルタ
【図１】
2005222681.tif 000003
【図２】
2005222681.tif 000004
【図３】
2005222681.tif 000005
【図４】
2005222681.tif 000006
【図５】
2005222681.tif 000007
【図６】
2005222681.tif 000008